(57)【要約】【課題】直飲タイプの携帯用飲料容器（通称マグボトル）において、通常は円形筒状に形成されている飲み口体の着脱操作を容易にする。【解決手段】金属製真空二重構造で形成された容器本体１と、容器本体１の開口部１１に螺合装着され開口上方部分を口当て部２３とした飲み口体２と、飲み口体２の開口部分を閉塞する栓蓋体３とを備え、口当て部２３を非円形筒として、上縁の一部が栓蓋体３に収納される範囲で、外周方向に突出して飲み口部２５を形成してなり、非円形の口当て部２３を把持することで、飲み口体２の着脱操作が容易になる。【選択図】図１
2014226476.tif 000002
【特許請求の範囲】
【請求項１】
金属製真空二重構造で形成された容器本体と、容器本体の開口部に螺合装着され開口上方部分を口当て部とした飲み口体と、飲み口体の開口部分を閉塞する栓蓋体とを備えた携帯用飲料容器において、口当て部を非円形筒として、上縁の一部が栓蓋体に収納される範囲で外周方向に突出して飲み口部を形成してなることを特徴とする携帯用飲料容器。
【請求項２】
栓蓋体における飲み口体の液流路に挿入される栓部外周に螺条を形成し、飲み口体内周面の内周螺条と螺合装着する構成において、飲み口部と対応する位置を除いて前記内周螺条を設けてなる請求項１記載の携帯用飲料容器。
【発明の詳細な説明】
【技術分野】
【０００１】
本発明は、主として保冷保温状態で飲料を携帯することができる容器に関するものである。
【背景技術】
【０００２】
保冷保温状態で飲料を携帯するための飲料容器は、マグボトルと称されて真空二重体で形成された容器本体に、保冷のための氷塊の流出を防いだり、金属製の容器本体に直接口を付ける不快さを解消するために、適宜な口当て部を備えた筒状の飲み口体を装着している。
【０００３】
例えば特許文献１（特開２００９−６７４０９号公報図５）や特許文献２（特開２０１２−２０６７５１号公報図３）に示されているように、飲み口体は、容器本体の開口縁を覆う様に、開口部の外周部（特許文献１）又は内周部（特許文献２）に螺合装着されているものであり、この飲み口体の開口上方部分は、唇が当たって喫飲する箇所となる口当て部となっている。更に栓蓋体は、容器本体外周、飲み口体の外周面或いは内周面に螺合装着して、前記口当て体の上方開口部分を閉塞している。
【先行技術文献】
【特許文献】
【０００４】
【特許文献１】特開２００９−６７４０９号公報図５。
【特許文献２】特開２０１２−２０６７５１号公報図３。
【発明の概要】
【発明が解決しようとする課題】
【０００５】
前記の口当て体は、容器本体の開口部の外周面或いは内周面に螺合装着しているもので、飲み口部材にパッキン等を具備しているが、液漏れが生じないよう相応の力でしっかりと締める必要がある。しかし飲み口体は円形であり滑りやすく掴み難いため、相応の力を必要とする着脱操作が非常に面倒である。操作性を高めるために外周面を凹凸形状に形成すると外観デザイン上好ましくない。
【０００６】
また栓蓋体の螺合装着に、飲み口体の内周面に形成した内周螺条との螺合構造を採用した場合、当該内周螺条が飲料のスムーズな流出の障害となる。
【０００７】
そこで本発明は、着脱操作性に優れた新規な飲み口体を装着した携帯用飲料容器を提案したものである。
【課題を解決するための手段】
【０００８】
本発明の請求項１に係る携帯用飲料容器は、金属製真空二重構造で形成された容器本体と、容器本体の開口部に螺合装着され開口上方部分を口当て部とした飲み口体と、飲み口体の開口部分を閉塞する栓蓋体とを備え、口当て部を非円形筒として、上縁の一部が栓蓋体に収納される範囲で、外周方向に突出して飲み口部を形成してなることを特徴とするものである。
【０００９】
而して飲み口体を容器本体に螺合装着する際に、非円形の口当て部を把持して飲み口体を回転操作することができ、円形部材に比較して着脱操作が容易であり、また喫飲に際しても、飲み口部が注ぎ口のような突出形状であるから飲料が口から零れ出ることなくスムーズに喫飲できる。
【００１０】
また本発明の請求項２に係る携帯用飲料容器は、特に栓蓋体における飲み口体の液流路に挿入される栓部外周に螺条を形成し、飲み口体内周面の内周螺条と螺合装着する構成を採用し、飲み口部と対応する位置を除いて前記内周螺条を設けてなるものである。
【００１１】
従って飲み口部から飲料を喫飲する際に、飲料は飲み口体の内周面を伝わって流れ出るが、その流路に内周螺条が無いので、飲料がスムーズに流出することになる。
【発明の効果】
【００１２】
本発明の構成は上記のとおりで、飲み口部材の上方筒状の口当て部上縁の一部を外周に突出させたもので、非円形の口当て部を把持することで、飲み口体の着脱操作が容易になったものである。
【図面の簡単な説明】
【００１３】
【図１】本発明の実施形態を示す全体斜視図（分解図）。
【図２】同全体の正面図。
【図３】同栓蓋体を外した正面図。
【図４】同平面図。
【図５】同全体の断面図。
【発明を実施するための形態】
【００１４】
次に本発明の実施形態について説明する。実施形態に示した携帯用飲料容器は、容器本体１と、容器本体１に装着される飲み口体２と、携帯時や喫飲時に着脱操作を行う栓蓋体３で構成される。
【００１５】
容器本体１は、従前の保温携帯飲料容器と同様に金属製真空二重構造で、縦長の円筒形状の容器であり、上方に開口部１１を形成してなるもので、特に開口部外周面は縮径して段差部１２とし、内周面に飲み口体２を螺合装着する螺条部１３を設け、開口部１１の内周下方部分には、上方の開口個所より窄めて支持突部１４を形成してなる。
【００１６】
飲み口体２は、全体が筒状で中央突き抜け部分が流路となるもので、前記容器本体１の開口部１１内に挿入螺着する装着部２１と、開口部１１の上端及び外周面を被覆する径大部２２と、装着部２１の上方延長形状で径大部２２より上方に突出した口当て部２３とを備えたものである。
【００１７】
装着部２１は、外周面に螺条部１３と螺合する装着凹溝２４を備え、口当て部２３は、非円形筒として外周方向へ突出する箇所の上端を飲み口部２５に形成したもので、突出の程度は栓蓋体３を装着した際に栓蓋体３内に納まる範囲としたものである。
【００１８】
また飲み口体２の内周面には、栓蓋体３を装着するための内周螺条２６を設けてなるが、特に飲み口部２５の下方となる適宜範囲には、内周螺条２６を形成しない。更に前記内周螺条２６の下方には、流路の一部を遮断して容器本体１内から氷塊などが流出しないようにした目透き部２７を設けたものである。
【００１９】
栓蓋体３は、口当て部２３の外周を覆うカバー部３１と、飲み口体２の流路に挿入される栓部３２を備え、栓部３２の外周面には、内周螺条２６と螺合する螺条３３を設けてなる。
【００２０】
而して前記の飲み口体２は、装着部２１を容器本体１の開口部１１から、螺条部１３と装着凹溝２４を螺合して、装着部２１の底面部分（パッキンを付設している）を支持突部１４に達するまでネジ入れて装着してなるもので、また前記の逆操作で飲み口体２を外すものである。
【００２１】
栓蓋体３は、栓部３２を飲み口体２の流路内に差し入れ、螺条３３と内周螺条２６を螺合させて着脱するものである。
【００２２】
前記の携帯用飲料容器は、特に飲み口体２に非円形の口当て部２３及び外周に突出する飲み口部２５を設けているものであるから、飲み口体２を把持して行う着脱操作においては、非円形の口当て部２３及び突出する飲み口部２５のために滑り難く、前記操作を容易に行うことができると共に、しっかりと確実に装着することができる。
【００２３】
また栓蓋体３を外して容器本体１内の飲料を喫飲する際には、外周方向へ突出している飲み口部２５から喫飲するので、飲料の流れの幅が広がらず、而も飲み口体２の流路において、内周螺条２６が飲料の流れを邪魔しないので、非常に飲み易くなったものである。
【００２４】
尚本発明は、飲み口体２における口当て部２３の非円形並びに飲み口部２５の外周突出形状が特徴であり、容器本体１と飲み口体２との連結構造は、前記実施形態に限定されるものではなく、例えば段差部１２の外周面と径大部２２の内周面で螺合する構造でも、また段差部１２及び径大部２２を設けずに、容器本体１の開口部内周面と飲み口体２の外周面とを螺合装着する構造でも良い。
【００２５】
また栓蓋体３の装着構造においても、栓部３２と飲み口体２の内周螺条の連結以外の構造、例えば栓蓋体３のカバー部３１の内周面と、容器本体１の段差部外周面或いは飲み口体２の径大部２２の外周面の螺合構造が採用できるものである。
【符号の説明】
【００２６】
１      容器本体
１１    開口部
１２    段差部
１３    螺条部
１４    支持突部
２      飲み口体
２１    装着部
２２    径大部
２３    口当て部
２４    装着凹溝
２５    飲み口部
２６    内周螺条
２７    目透き部
３      栓蓋体
３１    カバー部
３２    栓部
３３    螺条
【図１】
2014226476.tif 000003
【図２】
2014226476.tif 000004
【図３】
2014226476.tif 000005
【図４】
2014226476.tif 000006
【図５】
2014226476.tif 000007